(57)【要約】【課題】採水した場所，対象を正確に管理し、水質検査結果を蓄積し、監視することができる水質情報管理システムを提供する。【解決手段】ＲＦＩＤタグ２０２が付けられた採水容器２０１と、タグリーダ，タグライターとＧＰＳ受信装置２０３を具備した情報端末装置１０１と、情報端末装置１０１に採水情報の入力を行う採水情報入力手段１１１及び検査情報の入力を行う検査情報入力手段１１２と、ＲＦＩＤタグ２０２の読み出しを行う読取り手段３１１で読取った採水情報及び検査情報を記録する水質情報データベース３０２と、水質情報データベース３０２及び地図データベース３０３からユーザの指定する水質情報を検索する水質情報検索手段３１３を具備した水質情報管理装置３０１を備え、情報端末装置１０１に入力された採水に関する諸情報にＧＰＳ受信装置２０３からの位置情報及び時刻情報を紐付けされた採水情報をＲＦＩＤタグ２０２に書き込む。【選択図】  図１
2011113425.tif 000002
【特許請求の範囲】
【請求項１】
ＲＦＩＤタグが付けられた採水容器と、ＲＦＩＤタグの読み出し，書き込みを行うタグリーダ，タグライターとＧＰＳ受信装置を具備した情報端末装置と、該情報端末装置に採水情報の入力を行う採水情報入力手段及び検査情報の入力行う検査情報入力手段と、前記ＲＦＩＤタグの読み出しを行う読取り手段と該読取り手段で読取った採水情報及び検査情報を記録する水質情報データベースと、該水質情報データベース及び地図データベースからユーザの指定する水質情報を検索する水質情報検索手段を具備した水質情報管理装置を備え、前記情報端末装置に入力された採水に関する諸情報に前記ＧＰＳ受信装置からの位置情報及び時刻情報を紐付けされた採水情報を前記タグライターにより前記ＲＦＩＤタグに書き込む水質情報管理装置。
【請求項２】
前記水質情報検索手段により検索された検索結果を水質情報表示手段によりディスプレイ装置に表示を行う請求項１に記載の水質情報管理装置。
【請求項３】
前記水質情報表示手段は、前記地図データベースの地図と重ね合せ水質情報検索手段の検索結果の該当位置や複数地点の水質の濃度分布等表示を行う請求項２に記載の水質情報管理システム。
【請求項４】
前記検査情報入力手段により入力された検査情報に、前記ＧＰＳ受信装置から取り込んだ座標情報，時刻を紐付けする請求項１から３のいずれかに記載の水質情報管理システム。
【発明の詳細な説明】
【技術分野】
【０００１】
本発明は、河川や水道給水等の定期的な採水検査を行う業務において、採水，検査情報を管理する水質情報管理システムに関する。
【背景技術】
【０００２】
水道法によって、水道水には「水質基準項目」が定められており、全ての基準項目で水質基準値を満たす必要がある。さらに、水質基準を補完する項目として「水質管理目標設定項目」がある。これら水質項目について、定期的な水質検査が義務付けられており、河川や井戸等の水源についても水質検査を行っている。
【０００３】
〔特許文献１〕に記載の従来の技術では、利用者が水質分析を行いたい場合は、試料水をサンプリングして事業者に送付して分析を依頼し、インターネットを介して事業者が開設するホームページにアクセスして分析結果を閲覧するようになっていた。又、〔特許文献２〕に記載の従来の技術では、水処理設備の稼動状態を収集する現場に設けられたデータ収集端末により、ＰＬＣが監視する複数の各種工業計器の信号，補機類の状態信号をＰＬＣに直接アクセスして収集するようになっていた。
【先行技術文献】
【特許文献】
【０００４】
【特許文献１】特開２００２−３１６１４３号公報
【特許文献２】特開２００７−８７１１７号公報
【発明の概要】
【発明が解決しようとする課題】
【０００５】
〔特許文献１〕の従来の技術は、採水した水は採水ボトルで運搬し、水質検査機関での検査装置や試薬での検査を行うものであり、人手により採水した場所，対象，時刻等を管理する必要がある。
【０００６】
〔特許文献２〕の従来の技術は、工業計器やセンサが設けられるものに対しては、データを採取することが可能であるが、工業計器やセンサがない場所等に対しては計測することができないものであった。
【０００７】
本発明の目的は、採水した場所，対象を正確に管理し、水質検査結果を蓄積し、監視することができる水質情報管理システムを提供することにある。
【０００８】
本発明の他の目的は、採水情報や検査情報を位置や時刻で一元管理し、検査履歴を容易に検索できる水質情報管理システムを提供することにある。
【課題を解決するための手段】
【０００９】
上記目的を達成するために、本発明の水質情報管理システムは、携帯端末装置にて採水時の情報と検査時の情報を位置情報及び時刻情報と紐付けして入力する手段と、水質情報管理装置にて水質情報を登録し、検索，表示する手段により実現する。
【発明の効果】
【００１０】
本発明によれば、採水情報と検査情報を携帯端末装置にて容易に入力でき、入力した採水情報と検査情報は水質情報管理装置にて位置や時刻で一元管理することにより検査履歴の検索や検査結果の迅速な提供が行える。
【図面の簡単な説明】
【００１１】
【図１】本発明の一実施形態による水質情報システムの構成図。
【図２】採水情報入力手段のフロー図。
【図３】検査情報入力手段のフロー図。
【図４】水質情報システムのフロー図。
【図５】採水，検査履歴画面例の図。
【図６】採水，検査情報表示例の図。
【発明を実施するための形態】
【００１２】
本発明の一実施例を図１から図６を用いて説明する。図１は、本実施例の水質情報システムの構成図である。
【００１３】
図１に示すように、水質情報システムは、ＲＦＩＤタグ２０２が付けられている採水容器２０１と、情報端末装置１０１と、水質情報管理装置３０１が設けられている。情報端末装置１０１には、ＲＦＩＤタグ２０２のタグリーダ，タグライターが設けられ、人口衛星２０４からの信号を受信するＧＰＳ（Global Positioning System）受信装置２０３が搭載されている。ＲＦＩＤタグ２０２には、予め採水容器２０１を識別するためのＩＤである検体ＩＤが記録されている。
【００１４】
情報端末装置１０１には、採水情報及び検査情報が入力されるようになっており、情報端末装置１０１，採水情報入力手段１１１及び検査情報入力手段１１２は一体的に形成されるか、採水情報入力手段１１１と検査情報入力手段１１２のどちらか一方が一体的に形成されるか、それぞれ別体でもよい。
【００１５】
採水時には、採水情報入力手段１１１により情報端末装置１０１に、採水場所名，採水者名等の採水に関する諸情報を入力する。採水に関する諸情報を入力し、ＧＰＳ受信装置２０３から現在位置の座標である緯度，経度、及び現在時刻を取り込み、採水に関する諸情報と紐付けされて採水情報として記録される。
【００１６】
情報端末装置１０１に記録された採水に関する諸情報及び現在位置情報，現在時刻情報は、情報端末装置１０１のタグライターによりＲＦＩＤタグ２０２に書き込まれる。ＲＦＩＤタグ２０２に採水に関する諸情報及び現在位置情報，現在時刻情報が書き込まれた採水容器２０１を使用して、検査を行い、検査情報入力手段１１２により情報端末装置１０１に、採水した水の検査時の情報や検査結果を入力する。入力された水の検査時の情報や検査結果は、情報端末装置１０１のタグライターにより採水容器２０１のＲＦＩＤタグ２０２に書き込まれる。
【００１７】
水質情報管理装置３０１は、水質情報データベース３０２，地図データベース３０３，タグリーダが設けられる読取り手段３１１，読取り手段３１１及び水質情報データベース３０２に接続される水質情報登録手段３１２，水質情報登録手段３１２及び水質情報データベース３０２に接続される水質情報検索手段３１３，水質情報検索手段３１３及び地図データベース３０３に接続される水質情報表示手段３１４，水質情報表示手段３１４と接続されるディスプレイ３０４で構成される。
【００１８】
読取り手段３１１は、タグリーダにより、採水容器２０１のＲＦＩＤタグ２０２の採水情報、水質検査情報を読み取り、水質情報登録手段３１２により、読取り手段３１１で読取った採水情報，水質検査情報を水質情報データベース３０２へ登録する。
【００１９】
水質情報検索手段３１３は、水質情報データベース３０２に登録されている採水情報，水質検査情報を条件検索する。水質情報表示手段３１４では、水質情報検索手段３１３で検索した水質情報の緯度，経度の座標情報から地図データベース３０３を参照して、該当する地図データを検索し、水質情報表示手段３１４では水質情報の時系列でトレンド表示や地図上の水質濃度分布表示を行い、ディスプレイ３０４上でユーザに視覚的に水質情報を提供する。
【００２０】
図２は、採水時に情報端末装置１０１に入力する際の採水情報入力手段１１１の処理フロー図である。
【００２１】
ステップＳ１０１で、情報端末装置１０１のタグリーダにより、採水容器２０１のＲＦＩＤタグ２０２より検体ＩＤの読み取りを行う。ステップＳ１０２で、採水情報入力手段１１１により採水場所名を、ステップＳ１０３で、採水者名を各々ユーザが入力する。採水情報入力手段１１１により採水に関する諸情報の入力し、ステップＳ１０４で、ＧＰＳ受信装置２０３から現在位置の座標である緯度，経度を取得し、Ｓ１０５で、ＧＰＳ受信装置２０３から日時情報を取得する。
【００２２】
ステップＳ１０６で、情報端末装置１０１に、天候，気温，水温等の採水時の環境情報をユーザが入力し、ステップＳ１０７で、採水場所を情報端末装置１０１に設けられているデジカメにより写真撮影する。
【００２３】
ステップＳ１０１からＳ１０７の各ステップで入力された情報や取得した情報は、情報端末装置１０１のタグライターにより、採水容器２０１のＲＦＩＤタグ２０２へ書き込まれる。
【００２４】
このように、採水に関する諸情報を入力すると、採水位置である位置情報及び採水時刻を紐付けした情報として記録できるので、採水した場所，時刻を正確に管理でき、再度採水する時も再現性よくできる。又、採水場所を撮影しているので、採水時の状況を把握できる。
【００２５】
図３は、水質検査時に情報端末装置１０１に入力する際の検査情報入力手段１１２の処理フロー図である。
【００２６】
ステップＳ２０１で、情報端末装置１０１のタグリーダにより、採水容器２０１のＲＦＩＤタグ２０２より検体ＩＤの読み取りを行う。ステップＳ２０２で、検査情報入力手段１１２により検査場所名を入力し、ステップＳ２０３で、検査情報入力手段１１２により検査者名を入力する。ステップＳ２０４で、検査情報入力手段１１２により、検査日時を、ステップＳ２０５で、検査結果を各々ユーザが入力する。ここで、ＧＰＳ受信装置２０３から検査場所の位置情報，検査時刻の情報を取得するようにしてもよく、検査場所をデジカメにより写真撮影するようにしてもよい。
【００２７】
ステップＳ２０１からＳ２０５の各ステップにて入力した情報は、情報端末装置１０１のタグライターにより、採水容器２０１のＲＦＩＤタグ２０２へ書き込まれる。
【００２８】
このように、採水時に採水に関する諸情報及び採水位置，採水時刻等を入力し、検査時に検査に関する諸情報及び検査結果を入力するようにしているので、採水時と検査時の場所，時刻が違っても位置情報及び時刻情報を知ることができる。
【００２９】
図４は、水質情報管理装置３０１の処理のフロー図である。
【００３０】
まず、読取り手段３１１により、採水容器２０１のＲＦＩＤタグ２０２から水質情報を読取る手順について説明する。
【００３１】
ステップＳ３０１で、読取り手段３１１のタグリーダにより、採水容器２０１のＲＦＩＤタグ２０２より検体ＩＤの読み取りを、ステップＳ３０２で、採水容器２０１のＲＦＩＤタグ２０２より採水情報の読み取りを、ステップＳ３０３で、採水容器２０１のＲＦＩＤタグ２０２から検査情報の読み取りを行う。
【００３２】
次に、水質情報登録手段３１２により、水質情報を水質情報データベース３０２に格納する手順を説明する。
【００３３】
ステップＳ３０４で、採水情報を水質情報データベース３０２に登録し、ステップＳ３０５で、検査情報を水質情報データベース３０２に登録する。
【００３４】
水質情報検索手段３１３は、ステップＳ３０６で、水質情報データベース３０２に格納されている採水情報や検査情報等の水質情報からユーザが指定した検索条件に合致する水質情報を検索する。
【００３５】
次に、水質情報表示手段３１４により、水質情報をディスプレイ３０４に表示する手順について説明する。
【００３６】
ステップＳ３０７で、ステップＳ３０６で検索された水質情報から得られる検索結果を表示する。表示例としては、例えば、図５に示す画面例のように、採水場所とともに、複数の履歴として表示する、図６に示すように水質情報を採水情報と検査情報に分けて表示するものがある。
【００３７】
この他、ステップＳ３０８で、検索された水質情報を時系列にトレンド表示を行い、ステップＳ３０９で、地図上の位置を表示し、ステップＳ３１０で、地図上に水質濃度分布表示を行う。
【００３８】
実施形態によれば、水質情報管理システムにて採水情報と検査情報の容易かつ正確な入力を支援すし、入力した採水情報と検査情報は水質情報管理装置にて位置や時刻で一元管理することにより検査履歴の検索や検査結果を視覚的に提供することができる。
【符号の説明】
【００３９】
１０１  情報端末装置
１１１  採水情報入力手段
１１２  検査情報入力手段
２０１  採水容器
２０２  ＲＦＩＤタグ
２０３  ＧＰＳ受信装置
３０１  水質情報管理装置
３０２  水質情報データベース
３０３  地図データベース
３０４  ディスプレイ
３１１  読取り手段
３１２  水質情報登録手段
３１３  水質情報検索手段
３１４  水質情報表示手段
【図１】
2011113425.tif 000003
【図２】
2011113425.tif 000004
【図３】
2011113425.tif 000005
【図４】
2011113425.tif 000006
【図５】
2011113425.tif 000007
【図６】
2011113425.tif 000008